(57)【要約】【課題】確度保証電圧測定範囲内では電圧表示が可能とされ、確度保証電圧測定範囲外では、電圧表示をせず、電圧の有無、或いは、電圧のレベルを表示することのできる非接触電圧測定器を提供する。【解決手段】電圧検出部により検出された電圧を表示する表示部２０８は、（１）電圧検出部によって検出された電圧値（Ｖｍ）が確度保証電圧範囲（Ｒｍ）内の場合に、該電圧値（Ｖｍ）を数値で表示する電圧表示部２０８Ａと、（２）電圧検出部によって検出された電圧値（Ｖｍ）が確度保証電圧範囲（Ｒｍ）の最低電圧未満の場合に、固有の電圧表示はせず、電圧の大きさの程度を表示する第１検電表示部２０８Ｂと、（３）電圧検出部によって検出された電圧値（Ｖｍ）が確度保証電圧範囲（Ｒｍ）の最高電圧を超えた電圧の場合に、固有の電圧表示はせず、電圧の大きさの程度を表示する第２検電表示部２０８Ｃと、を備えている。【選択図】図４
2014174126.tif 000002
【特許請求の範囲】
【請求項１】
互いに接続ケーブルにて電気的に接続された一対の測定プローブを有し、
前記各測定プローブは、測定対象電線の電圧を検出する電圧検出部と、前記電圧検出部により検出された電圧を表示する表示部と、前記電圧検出部によって検出された電圧値が予め設定された確度保証電圧範囲内であるか否かを比較し、その結果に応じて前記表示部の表示態様を変えて表示させる制御部と、を有した非接触電圧測定器において、
前記表示部は、
（１）前記電圧検出部によって検出された電圧値（Ｖｍ）が前記確度保証電圧範囲（Ｒｍ）内の場合に、該電圧値（Ｖｍ）を数値で表示する電圧表示部と、
（２）前記電圧検出部によって検出された電圧値（Ｖｍ）が前記確度保証電圧範囲（Ｒｍ）の最低電圧未満の場合に、固有の電圧表示はせず、電圧の大きさの程度を表示する第１検電表示部と、
（３）前記電圧検出部によって検出された電圧値（Ｖｍ）が前記確度保証電圧範囲（Ｒｍ）の最高電圧を超えた電圧の場合に、固有の電圧表示はせず、電圧の大きさの程度を表示する第２検電表示部と、
を備えていることを特徴とする非接触電圧測定器。
【請求項２】
前記表示部は、中央部に前記電圧表示部を配置し、前記電圧表示部の左側に前記第１検電表示部を配置し、前記電圧表示部の右側に前記第２検電表示部を配置することを特徴とする請求項１に記載の非接触電圧測定器。
【請求項３】
前記第１及び第２検電表示部は、複数のドット状のインジケータにて構成され、測定電圧のレベルに応じて所定の数のインジケータを点灯することを特徴とする請求項１に記載の非接触電圧測定器。
【請求項４】
前記制御部は、
（１）前記電圧検出部によって検出された電圧値（Ｖｍ）が前記確度保証電圧範囲（Ｒｍ）内の場合には、前記電圧表示部に前記電圧値（Ｖｍ）を数値で表示し、前記第１検電表示部は全てのインジケータを点灯し、前記第２検電表示部は全てのインジケータを消灯し、
（２）前記電圧検出部によって検出された電圧値（Ｖｍ）が前記確度保証電圧範囲（Ｒｍ）の最低電圧未満の場合には、前記電圧表示部には前記電圧値（Ｖｍ）が前記確度保証電圧測定範囲の最低の電圧未満であることを示す文字を表示し、前記第１検電表示部には所定の数のインジケータを点灯し、前記第２検電表示部は全てのインジケータを消灯し、
（３）前記電圧検出部によって検出された電圧値（Ｖｍ）が前記確度保証電圧範囲（Ｒｍ）の最高電圧を超えた電圧の場合には、前記電圧表示部には前記電圧値（Ｖｍ）が前記確度保証電圧測定範囲を超える大きさの電圧であることを示す文字を表示し、前記第１検電表示部は全てのインジケータを点灯し、前記第２検電表示部には所定の数のインジケータを点灯する、
ように制御することを特徴とする請求項３に記載の非接触電圧測定器。
【発明の詳細な説明】
【技術分野】
【０００１】
本発明は、測定対象電線に対して金属露出部に限らず被覆電線の被覆の上からでも電圧を測定することができる可搬式とされる金属非接触の電圧測定器（以下、単に「非接触電圧測定器」という。）に関するものである。
【背景技術】
【０００２】
従来、電圧測定は、電路の金属露出部、即ち、例えば電線の金属端子に電圧測定器の測定プローブの金属部を接触させて電圧測定を行っていたが、この測定方法では、金属部同士の接触状態によっては測定プローブが被測定物の回路を短絡させてしまう可能性があるなどといった問題が提起されていた。
【０００３】
そこで、各々が片手で保持可能に構成された一対の測定ユニット（測定プローブ）を備え、測定対象電線が被覆電線の場合には被覆の上からでも電圧を測定可能とした、即ち、非接触電圧検出部を有した金属非接触の電圧測定器がある（例えば、特許文献１参照）。
【０００４】
斯かる非接触電圧測定器の構成及び作動原理は、更に、特許文献２及び特許文献３などに詳しく説明されており、当業者には周知であるが、図５（ａ）、（ｂ）を参照して、非接触電圧測定器の構成及び作動態様の一例を簡単に説明すれば、以下の通りである。
【０００５】
図５（ａ）は、非接触電圧測定器における電圧測定方法を説明するための測定ユニット２を構成する電圧検出回路のブロック図であり、図５（ｂ）は、一対の測定ユニット（測定プローブ）２（２Ａ、２Ｂ）を備えた非接触電圧測定器１の構成を説明するブロック図である。
【０００６】
図５（ａ）にて、本例に示す非接触電圧測定器１の測定プローブ２の電圧検出回路は、被測定対象とされる測定対象電線（被覆電線）１００と対向配置される検知電極２０１を有しており、検知電極２０１は、可変容量素子２０２に接続される。従って、可変容量素子２０２には、測定対象電線１００と検知電極２０１との間に存在する静電結合容量Ｃｃと可変容量素子２０２の周期的に変動する静電容量Ｃ（ｔ）、及び、測定対象電線１００の電圧（Ｖｍ）に応じて、周期的に変動する電流ｉ（ｔ）が流れる。本例の電圧検出回路は、可変容量素子２０２に接続され、電流ｉ（ｔ）を検出し電圧変換する電圧生成回路（インピーダンスＺ）２０３、キャリア電圧Ｖ（ｔ）の復調回路２０４及び増幅回路２０５により負帰還を構成している。斯かる負帰還構成により、増幅回路２０５の出力Ｖａは電圧生成回路（インピーダンスＺ）２０３にフィードバック電圧として印加され、増幅回路２０５の増幅度が十分に大きな場合にはキャリア電圧Ｖ（ｔ）がゼロとなるように動作する。この時、負帰還は定常状態となり、出力Ｖａと被測定電圧Ｖｍは等しくなる。従って、静電結合容量Ｃｃ、可変容量Ｃ（ｔ）及びインピーダンスＺで構成される直列回路の両端（ａ−ｂ間）の電位差はゼロとなり、電流ｉ（ｔ）は流れない。
【０００７】
図５（ｂ）を参照すると、非接触電圧測定器１は、図５（ａ）に示す電圧検出回路を２系統持ち、それぞれ電圧プローブ２（２Ａ、２Ｂ）として機能する。なお、各測定プローブ２（２Ａ、２Ｂ）は、各外ケース３０（３０ａ、３０ｂ）を測定者が手に持って測定作業を行うことにより、人体（Ｚｐ）を介して接地状態に維持されている。
【０００８】
各々の電圧測定プローブ２（２Ａ、２Ｂ）は、上述のように、静電結合容量Ｃｃ１、Ｃｃ２を介して被測定対象１００（１００Ａ、１００Ｂ）の電圧Ｖｍ１、Ｖｍ２を検出し、出力電圧Ｖａ１、Ｖａ２の差電圧Ｖａを出力する。なお、一方の測定プローブ２Ａの電圧検出回路は、作動増幅器２０６、制御部２０７などを備えており、他方の測定プローブ２Ｂには電源２０９を備えた電源回路２１０が設けられている。斯かる構成により、非接触電圧測定器１は、対地電圧と線間電圧のどちらも測定できる。得られた差電圧Ｖａはソフトウェア処理を行い、測定値としてＬＣＤ表示器２０８に出力する。
【０００９】
従来、上記構成の非接触電圧測定器１は、例えば、上記特許文献１、或いは、特許文献４などに記載されるように、確度を保証できる電圧範囲（確度保証電圧測定範囲）内を測定している時に限り、ＬＣＤ表示器２０８にて測定値として数値にて電圧表示をするように構成されている。
【先行技術文献】
【特許文献】
【００１０】
【特許文献１】特開２００９−２４４１３１号公報
【特許文献２】特開２００７−１３２９２６号公報
【特許文献３】特開２０１０−２５７７８号公報
【特許文献４】特開２００９−１８０６３０号公報
【発明の概要】
【発明が解決しようとする課題】
【００１１】
しかしながら、非接触電圧測定器１は、用途として、測定した電線における電圧の測定結果の数値がほしい場合だけでなく、測定した電線が何Ｖ系統かを判別したい場合がある。勿論、この場合も電圧測定器にて測定結果の数値を読み取れば良いのであるが、検電器のように直感的に分かるものではない。
【００１２】
つまり、例えば、電路の移設、撤去、増設などの工事者にとっては、一つの非接触電圧測定器を、先ず、電路の電圧の有無を確認したい場合には検電器として使用し、そして、電線系統の電圧値が必要な場合には電圧表示器として使用し得ることが望ましい。また、高電圧に関しては、電圧値確認義務はないものの、工事の対象とされる電線がどの程度の電圧がかかっているのかを直感的に知りたいことがある。
【００１３】
そこで、本発明の目的は、確度保証電圧測定範囲内では電圧表示が可能とされ、確度保証電圧測定範囲外では、電圧表示をせず、電圧の有無、或いは、電圧のレベルを表示することのできる非接触電圧測定器を提供することである。
【課題を解決するための手段】
【００１４】
上記目的は本発明に係る非接触電圧測定器にて達成される。要約すれば、本発明は、互いに接続ケーブルにて電気的に接続された一対の測定プローブを有し、
前記各測定プローブは、測定対象電線の電圧を検出する電圧検出部と、前記電圧検出部により検出された電圧を表示する表示部と、前記電圧検出部によって検出された電圧値が予め設定された確度保証電圧範囲内であるか否かを比較し、その結果に応じて前記表示部の表示態様を変えて表示させる制御部と、を有した非接触電圧測定器において、
前記表示部は、
（１）前記電圧検出部によって検出された電圧値（Ｖｍ）が前記確度保証電圧範囲（Ｒｍ）内の場合に、該電圧値（Ｖｍ）を数値で表示する電圧表示部と、
（２）前記電圧検出部によって検出された電圧値（Ｖｍ）が前記確度保証電圧範囲（Ｒｍ）の最低電圧未満の場合に、固有の電圧表示はせず、電圧の大きさの程度を表示する第１検電表示部と、
（３）前記電圧検出部によって検出された電圧値（Ｖｍ）が前記確度保証電圧範囲（Ｒｍ）の最高電圧を超えた電圧の場合に、固有の電圧表示はせず、電圧の大きさの程度を表示する第２検電表示部と、
を備えていることを特徴とする非接触電圧測定器である。
【００１５】
本発明の一実施態様によると、前記表示部は、中央部に前記電圧表示部を配置し、前記電圧表示部の左側に前記第１検電表示部を配置し、前記電圧表示部の右側に前記第２検電表示部を配置する。
【００１６】
本発明の他の実施態様によると、前記第１及び第２検電表示部は、複数のドット状のインジケータにて構成され、測定電圧のレベルに応じて所定の数のインジケータを点灯する。
【００１７】
本発明の他の実施態様によると、前記制御部は、
（１）前記電圧検出部によって検出された電圧値（Ｖｍ）が前記確度保証電圧範囲（Ｒｍ）内の場合には、前記電圧表示部に前記電圧値（Ｖｍ）を数値で表示し、前記第１検電表示部は全てのインジケータを点灯し、前記第２検電表示部は全てのインジケータを消灯し、
（２）前記電圧検出部によって検出された電圧値（Ｖｍ）が前記確度保証電圧範囲（Ｒｍ）の最低電圧未満の場合には、前記電圧表示部には前記電圧値（Ｖｍ）が前記確度保証電圧測定範囲の最低の電圧未満であることを示す文字、例えば「Ｌｏ」を表示し、前記第１検電表示部には所定の数のインジケータを点灯し、前記第２検電表示部は全てのインジケータを消灯し、
（３）前記電圧検出部によって検出された電圧値（Ｖｍ）が前記確度保証電圧範囲（Ｒｍ）の最高電圧を超えた電圧の場合には、前記電圧表示部には前記電圧値（Ｖｍ）が前記確度保証電圧測定範囲を超える大きさの電圧であることを示す文字、例えば「Ｈｉ」を表示し、前記第１検電表示部は全てのインジケータを点灯し、前記第２検電表示部には所定の数のインジケータを点灯する、ように制御する。
【発明の効果】
【００１８】
本発明の非接触電圧測定器は、確度保証電圧測定範囲内では電圧測定器として機能して電圧表示が可能とされ、確度保証電圧測定範囲外では、検電器として機能して電圧表示をせず、電圧の有無、或いは、電圧のレベルを表示することができ、実際の使用場面に応じて機能を切替える表示が可能であって極めて有用性が大である。
【図面の簡単な説明】
【００１９】
【図１】図１（ａ）は、本発明に係る一対の測定プローブを備えた非接触電圧測定器の一実施例の全体構成を示す斜視図であり、図１（ｂ）は、測定プローブの先端電圧検出部の内部構造を示す断面図である。
【図２】図２は、本発明に係る非接触電圧測定器の動作態様の一実施例を説明するフロー図である。
【図３】図３は、本発明に係る非接触電圧測定器の動作態様の一実施例を説明する図である。
【図４】図４（ａ）〜（ｃ）は、表示部の構成及び表示態様の一実施例を説明する図である。
【図５】図５（ａ）は、非接触電圧測定器の測定プローブに設けられる電圧検出回路の一例を示すブロック図であり、図５（ｂ）は、一対の測定プローブを備えた非接触電圧測定器の一例を示すブロック図である。
【図６】図６は、測定プローブの電圧検出部先端を測定対象電線に当接して押し当てた状態を示す斜視図である。
【発明を実施するための形態】
【００２０】
以下、本発明に係る非接触電圧測定器を図面に則して更に詳しく説明する。
【００２１】
実施例１
図１に、本発明に係る非接触電圧測定器１の一実施例の全体構成を示す。本実施例にて、非接触電圧測定器１は、各々が片手で保持可能に構成された一対の測定ユニット（測定プローブ）２（２Ａ、２Ｂ）、即ち、表示側測定プローブ２Ａ及び電源側測定プローブ２Ｂとを備えており、表示側測定プローブ２Ａと電源側測定プローブ２Ｂとはケーブル３で電気的に接続されている。
【００２２】
表示側測定プローブ２Ａ及び電源側測定プローブ２Ｂは、図１に示すように、同様の外観及び内部構造とすることができる。本実施例にて、表示側電圧プローブ２Ａは、長手方向に直交する横断面が矩形状とされる角筒状のケース本体３０ａと、ケース本体３０ａの一端に設置された先端電圧検出部（キャップ）４ａとを有している。ケース本体３０ａ及び先端検出部（キャップ）４ａは、電気的絶縁材料、本実施例では、例えばＡＢＳなどの合成樹脂にて作製される。
【００２３】
表示側電圧プローブ２Ａのケース本体３０ａ内には、図５（ａ）、（ｂ）を参照して説明したように、電圧検出回路を構成する、検知電極２０１Ａを備えたセンサ部６ａ、可変容量素子２０２、電圧生成回路（インピーダンスＺ）２０３、復調回路２０４、増幅回路２０５などが取り付けられている。更に、本実施例では、表示側電圧プローブ２Ａには、作動増幅器２０６、制御部２０７、などが設けられている。また、センサ部６ａは、その先端に配置された検知電極２０１Ａが、図１（ｂ）に示すように、ケース本体３０ａの先端開口部５から、キャップ４ａ内へと突出して配置されている。
【００２４】
また、表示側電圧プローブ２Ａには、本実施例では、電源ボタン２１１、測定によって電圧が一定の安定条件を満たした時に発光点滅から常時点灯へと切り替わるホールドボタン２１２、及び、測定結果を数値で表示する表示部を構成するＬＣＤ表示器２０８が取り付けられている。本体ケース３０ａには、これら各ボタン２１１、２１２及びＬＣＤ表示器２０８等を露出して配置するための開口窓１３が形成され、開口窓１３には指示板１４が貼着されている。
【００２５】
一方、電源側電圧プローブ２Ｂのケース本体３０ｂ内には、表示側電圧プローブ２Ａと同様に、図５（ａ）、（ｂ）を参照して説明したように、電圧検出回路を構成する、検知電極２０１Ｂを備えたセンサ部６ｂ、可変容量素子２０２、電圧生成回路（インピーダンスＺ）２０３、復調回路２０４、増幅回路２０５などが取り付けられている。更に、本実施例では、電源側電圧プローブ２Ｂには電源２０９を備えた電源回路２１０が設けられている。また、センサ部６ｂは、その先端に配置された検知電極２０１Ｂが、図１（ｂ）に示すように、ケース本体３０ｂの先端開口部５から、キャップ４ｂ内へと突出して配置されている。
【００２６】
なお、電源側電圧プローブ２Ｂには、表示側電圧プローブ２Ａに配置された電源回路２１０をオン・オフする電源ボタン２１１、ホールドボタン２１２、及び、ＬＣＤ表示器２０８は取り付けられておらず、代わりに、ケース本体３０ｂに電池収容部（図示せず）が形成されている。
【００２７】
図２及び図３を参照して、上記構成の非接触電圧測定器１の動作態様の一実施例について説明する。
【００２８】
先ず、測定者は、図６に示すように、表示側測定プローブ２Ａ及び電源側測定プローブ２Ｂの先端電圧検出部４（４ａ、４ｂ）を電線１００（１００Ａ、１００Ｂ）の外周面に適合し、先端電圧検出部４（４ａ、４ｂ）の湾曲面４０（４０ａ、４０ｂ）が電線の外周面に密着させられると、電源スイッチ２１１をオンとする（Ｓ１）。勿論、測定者は、電源スイッチ２１１をオンした後に、先端検出部４（４ａ、４ｂ）を電線外周面に密着させることもできる。
【００２９】
先端検出部４（４ａ、４ｂ）が電線１００（１００Ａ、１００Ｂ）の外周面に押し当てられ、且つ、電源スイッチ２１１がオンとなると、非接触電圧測定器１は、電圧測定を開始する。この時、電圧測定を開始するに先立って、制御部２０７は、非接触電圧測定器１を構成する各部を初期化することができる（Ｓ２）。次いで、制御部２０７は、記憶部２０７ｍ（図５（ｂ））から確度保証電圧範囲Ｒｍのデータを読み出し、測定の準備が完了する（Ｓ３）。必要に応じて、制御部２０７は、測定の準備が完了した旨を示す文字（例えば「ＲＥＡＤＹ」）を表示部（ＬＣＤ表示器２０８）に表示させることもできる。
【００３０】
尚、本実施例では、表示部を構成するＬＣＤ表示器２０８は、詳しくは後述するが、図４（ａ）〜（ｃ）に示すように、
（１）非接触電圧測定器１が測定した電圧値Ｖｍが確度保証電圧範囲Ｒｍ内の場合に、その電圧値Ｖｍを数値で表示する、ＬＣＤ表示器２０８の中央部に位置した電圧表示部２０８Ａと、
（２）非接触電圧測定器１が測定した電圧値Ｖｍが確度保証電圧範囲Ｒｍ外の場合に、固有の電圧表示はせず、電圧の大きさの程度を表示する第１及び第２検電表示部２０８Ｂ、２０８Ｃとを備えている。本実施例では、図４（ａ）〜（ｃ）にて、電圧表示部２０８Ａの左側が、非接触電圧測定器１が測定した電圧値Ｖｍが確度保証電圧範囲Ｒｍにおける最低電圧に至らない、即ち、最低電圧未満の場合の表示部である第１検電表示部２０８Ｂであり、電圧表示部２０８Ａの右側が、非接触電圧測定器１が測定した電圧値Ｖｍが確度保証電圧範囲Ｒｍの最高電圧を超える場合の表示部である第２検電表示部２０８Ｃとされる。勿論、測定表示部２０８Ａ、第１検電表示部２０８Ｂ、及び、第２検電表示部２０８Ｃの配置態様は、上記配置に限定されるものではないが、本実施例の配置態様が好ましい。
【００３１】
また、本実施例では、電圧表示部２０８Ａは、数値表示可能の表示方式とされ、第１及び第２検電表示部２０８Ｂ、２０８Ｃは、一列に複数個の、例えば５個のドット状のインジケータ２０８ｉとされる表示方式を採用している。各インジケータ２０８ｉの形状は、本実施例では矩形とされているが、円形状、その他の形状とすることができる。また、別法として、バー状のインジケータとし、点灯領域を電圧レベルに応じて制御する方式でも良い。
【００３２】
上記ステップ３（Ｓ３）にて測定の準備が完了し、測定が開始されるが、本実施例では、制御部２０７は、電圧検出部４（４ａ、４ｂ）にて検知される電圧の変動を監視しており、図３に示すように、電圧測定前においては消灯していたホールドボタン２１２が、測定開始と共に点灯し、電圧が一定の安定条件を満足するまでは、発光点滅状態とされる。制御部２０７は、測定電圧が一定の安定条件を満たしたと判断した時、ホールドボタン２１２を発光点滅状態から常時点灯へと切り替える。次いで、制御部２０７は、ホールドボタン２１２が常時点灯時における測定値Ｖｍを、確度保証電圧範囲Ｒｍと比較する（Ｓ４）。Ｓ４でＹｅｓ、即ち、測定値Ｖｍが確度保証電圧範囲Ｒｍの範囲内である場合には、図４（ｂ）に示すように、ＬＣＤ表示器２０８の電圧表示部２０８Ａに測定値Ｖｍ（本例では「１０２．０」）を表示する（Ｓ５）。第１検電表示部２０８Ｂは全てのインジケータ２０８ｉが点灯し、第２検電表示部２０８Ｃは全てのインジケータ２０８ｉが消灯する。また、制御部２０７の記憶部２０７ｍは、この測定値Ｖｍを記憶し、ホールドする。即ち、非接触電圧測定器１は、電圧測定器として機能する。
【００３３】
一方、ステップ４（Ｓ４）にてＮｏの場合はステップ６（Ｓ６）に進む。即ち、Ｓ４にて測定値Ｖｍが確度保証電圧範囲Ｒｍの範囲外である場合には、つまり、測定値Ｖｍが確度保証電圧範囲Ｒｍの最低電圧に至らない（未満）の場合、或いは、測定値Ｖｍが確度保証電圧範囲Ｒｍの最高電圧を超える場合には、ステップ６（Ｓ６）に進む。
【００３４】
ステップ６でＹｅｓ、即ち、測定値Ｖｍが確度保証電圧範囲Ｒｍの最低電圧未満のときは、ステップ７（Ｓ７）に進み、ＬＣＤ表示器２０８の電圧表示部２０８Ａには、図４（ａ）に示すように、固有の測定値Ｖｍを表示することはせず、測定値Ｖｍが確度保証電圧測定範囲の最低の電圧未満であることを示す文字、例えば、「Ｌｏ」と表示し、第１検電表示部２０８Ｂには、電圧の大きさ程度を示すレベル表示を行う。本実施例では、第１検電表示部２０８Ｂには、一列に複数個の、例えば５個のドット状のインジケータ２０８ｉを採用した表示方式とし、点灯したドット状インジケータ２０８ｉの数で、電圧のレベルを確認することができる。図３（ａ）に示す例では、第１検電表示部２０８Ｂの左側の３個のインジケータ２０８ｉが点灯している。全灯（ドット状インジケータ２０８ｉ）が消灯している場合は、電圧無しと判断される。また、第２検電表示部２０８Ｃは、全灯消灯している。
【００３５】
ステップ６でＮｏ、即ち、測定値Ｖｍが非接触電圧測定器１の確度が保証できる最高電圧を超える場合には、ＬＣＤ表示器２０８の測定表示部２０８Ａには、図４（ｃ）に示すように、固有の測定値Ｖｍを表示することはせず、測定値Ｖｍが確度保証電圧測定範囲Ｒｍを超える大きさの電圧であることを示す文字、例えば、「Ｈｉ」と表示し、第２検電表示部２０８Ｃには、電圧の大きさ程度を示すレベル表示を行う。本実施例では、第２検電表示部２０８Ｃには、一列に複数個の、例えば５個のドット状のインジケータ２０８ｉを採用した表示方式とし、点灯したドット数で、電圧のレベルを確認することができる。また、第１検電表示部２０８Ｂは、全て点灯している。
【００３６】
上記構成において、更に具体的に説明すれば、例えば、非接触電圧測定器の確度保証電圧測定範囲Ｒｍを３０〜３００Ｖと定めた場合、ＬＣＤ表示器２０８の表示態様は、
（１）測定値Ｖｍが３０Ｖ未満の場合は、図４（ａ）に示すように、表示部２０８Ａには「Ｌｏ」と表示し、第１検電表示部２０８Ｂの点灯したドット状インジケータ２０８ｉの個数によっておおよその電圧レベルが分かる。本例の場合は、略１５Ｖと判断される。
（２）測定値Ｖｍが３０Ｖ〜３００Ｖの場合は、図４（ｂ）に示すように、表示部２０８Ａには測定値Ｖｍを、例えば、数値「１０２．０」と数値表示を行い、確度保証する。
（３）測定値Ｖｍが３００Ｖを超える場合は、図４（ｃ）に示すように、表示部２０８Ａには「Ｈｉ」と表示し、第２検電表示部２０８Ｃの点灯したドット状インジケータ２０８ｉの個数によっておおよその電圧レベルが分かる。本例の場合は、略５００Ｖと判断される。
【００３７】
電源スイッチ２１１をオフとすることにより、測定を終了し（Ｓ９）、表示側測定プローブ２Ａ及び電源側測定プローブ２Ｂの先端検出部４（４ａ、４ｂ）を電線１００の外周面から離間させる。
【００３８】
上述したように、本発明の非接触電圧測定器１によれば、確度保証電圧測定範囲Ｒｍ内では電圧測定器として機能して電圧表示を可能とし、確度保証電圧測定範囲外では、検電器として機能して電圧表示をせず、電圧の有無、或いは、電圧のレベルを表示することができる。即ち、本発明の非接触電圧測定器１は、実際の使用場面に応じて機能を切替える表示が可能であって極めて有用性が大である。
【符号の説明】
【００３９】
１                  非接触電圧測定器
２（２Ａ、２Ｂ）    測定プローブ
３                  接続ケーブル
４（４ａ、４ｂ）    電圧検出部
１００（１００Ａ、１００Ｂ）    測定対象電線
２０８              ＬＣＤ表示器（表示部）
２０８Ａ            電圧表示部
２０８Ｂ            第１検電表示部
２０８Ｃ            第２検電表示部
【図１】
2014174126.tif 000003
【図２】
2014174126.tif 000004
【図３】
2014174126.tif 000005
【図４】
2014174126.tif 000006
【図５】
2014174126.tif 000007
【図６】
2014174126.tif 000008